(57)【要約】金属に鋸をかけるための帯鋸ブレードであって、各歯は隙間角なしの１個の平坦ランド（１２）および１個の鋭利な前切刃（１４）を備え、可能なセッテイングの前かつ輪状に連結する前にブレードを歯のリップを１個またはより多くの緩やかに回転している砥石（１１）に接触させて長手方向に動かすことにより製造され、このようにして歯の損傷の危険を減し、所要切削力を減し、騒音を大幅に減少させることができた。また本発明は歯付帯鋸ブレードの製造方法に関する。
2004513794.tif 000002
【特許請求の範囲】
【請求項１】
金属の鋸引き用で歯付きの帯鋸ブレードであって、各歯が間隙側上に間隙角なしの狭い平坦ランド（１２）を備え、上記ランドがその先端縁に鋭利な切刃（１４）を備えていることを特徴とする、帯鋸ブレード。
【請求項２】
上記ランドが無スクラッチでありかつ歯の他の面よりも少ない面不等を有することを特徴とする、請求項１による帯鋸ブレード。
【請求項３】
上記ランドの幅が歯間のピッチ距離の１０％を越えないことを特徴とする、請求項１による帯鋸ブレード。
【請求項４】
歯付帯鋸ブレードの製造方法であって、鋸ブレード（１０）が可能なセッテイングおよび輪状に接合する前に長手方向に動かされて歯が１個またはそれより多い緩やかに回転している砥石（１１）に接触し、これにより各歯に間隙側上の平坦ランド（１２）を設け、上記ランドの先端縁が鋭利な切刃（１４）となるようにすることを特徴とする、帯鋸ブレードの製造方法。
【発明の詳細な説明】
【０００１】
（背景技術）
帯鋸で金属を動力鋸引きする際、一歯当たりの切込み深さは約１０マイクロメーターであり、それは従来方法でミリングまたは研磨により作られる隣接歯間の深さの変動と同じオーダーである。これは切断作業が基本的には僅かな歯に集中し、これはもし特別な処置が使用されなければ不必要な摩損を来し易い。従って新しい鋸ブレードによる最初の切断には通常の鋸引きに普通適用されるよりも遥かに少ない送り力を与えることが推奨されている。これにより歯は過負荷の危険を伴うことなくかなり均一な高さに損耗する。しかしながら、低負荷にもかかわらず幾らかの切刃が丸くなることは避けられず、従って切削力は増加する。
【０００２】
ミリングカッターのような全ての刃先が並行な他の工具から知られていることは、作業者はそのカッターを機械に装着した後に硬い研磨砥石に対して回し、同時に全ての刃先を鋭利かつ均等高さにすることができ、これは切削挿入物が取り外される場合は適している。仕上げられた金属用鋸ブレード上では刃は通常は並行ではなく、むしろ両側で各種角度にセットされている。帯鋸機械内に装着した後に砥石に対して回転させる方法は、従って使用不能である。
【０００３】
帯鋸で特に遭遇する問題は鋸ブレードの面内での振動であり、これは大きい間隙角付きの鋭利な刃先に起因しており、この刃先は遥かに低い送り力で金属に食い入ることができ、かつ切込み深さの増加と減少の間の差が小さいので、切削に関与する全ての歯が同じ周波数の振動を発し、かつ切削底面が波打つので、それらが互いに振動を増幅する。最近搭載されている鋸ブレードは非常に不快な高周波の雑音を生じ、これは歯が幾らか損耗すると減少し、何故ならば切込み深さの増加と減少の間の送り力の差が大きくなるからである。
【０００４】
本発明は帯鋸ブレードおよび帯鋸ブレードの製造方法に関し、そこでは全ての切刃が使用前には鋭利であり、かつ等しい横向き角を有する群の全ての刃も等しい切込み深さを備えている。そのような鋸ブレードは直ちに全送り量および全切削速度での切削に使用することができ、従来技術による鋸刃ブレードよりも摩損がより遅く、かつ当初から低い騒音しか生じない。
【０００５】
（発明の開示）
本発明による帯鋸ブレード２０は図２内に示されているように数種の歯の群を有するものとして作られることができ、各群内の歯は等しい横向き傾斜エッジを備えている。そのような群は右２１、左２２またはストレート２３にセットされ得る。また群の数は３個より多くてもよく、それは右に異なるセッテイング距離および角度の２群を備え、かつ同様に左にも備えることにより可能である。また帯鋸ブレードは全ての歯をストレートに作ることもできる。
【０００６】
歯はセッテイング前には基本的に同一高さを有するものとされ、ブレードの面に対して直角なエッジ２４を備えている。歯形成用工具の摩耗や不整により、歯は元来或る程度の高さの変動を有し、その変動は高さに対しては小さいが、一歯当たりの切込み深さには匹敵するものである。研磨またはミリングに使用される方法によると、歯のエッジは通常不等またはラフであり、かつエッジに隣接した面には横断するスクラッチ（かき傷）が生じ得る。そのようなエッジはチッピングまたは同様な変形により更に損傷を受け易い。最初の数カット中に低い送り速度および低減されたパワーを使用する前述の方法はスクラッチを除きかつエッジの寿命を長くするであろう。ブラステイングまたは他の研磨方法によりスクラッチを除くことも提案されており、その方法は同時にエッジを僅かに丸め、鋸切りを安定化するが、大きい切削力を必要とする。
【０００７】
本発明による帯鋸ブレードでは、スクラッチは鋸ブレード製造の最終段階の前に除去され、それは歯先を微粒研磨材料で研磨することにより行われる。この方法により歯は非常に鋭利な切刃１４、間隙側の狭い無スクラッチランド１２および等しい高さを得る。これは全切削力および全切込み深さの最初からの使用を可能にし、かつランドは安定したチップ形成を保証する。ランド１２は従来技術の歯と比較して、切込み深さが増すとより大きい送り力を生じ、かつ切込み深さが減少すると小さい送り力を生ずる。この力の変化は周期を備え、これは歯相互間の振動の増幅を阻止し、かつ本発明により作られた帯鋸ブレードは２０デシベルもの騒音低減を示してきた。ランドの幅は歯間のピッチの１０％を越えるべきではなく、これはより幅広のランド上の抵抗がより大きい切削力を要するからである。
【０００８】
本発明による帯鋸ブレードの製造方法は歯付ブレード１０を１個またはそれより多い研磨砥石１１を横切って引くことを包含し、この砥石は上記砥石の不等な摩損を避けるために好ましくは緩やかに回転するように作られている。回転軸１５は好ましくは鋸ブレードの面に対して並行であるが、上記面に対して横にオフセットしている。砥石に対して擦れることにより各歯は間隙側上に平坦ランド１２を生じ、全ての上記ランドは同一面１３内にあり、かつ当初歯の高さ内に生じていた変化をランド１２の幅内の変化に変える。各ランド１２の先端縁は切刃１４であり、この切刃は研磨により研磨無しの場合よりも鋭利になる。各群を形成する歯はこのようにしてセッテイング前に等しい高さ位置にエッジ（刃）およびランドを持つことになり、かつセッテイング後にも等しい高さを保ち、これは各群の部材が等しいセッテイング角およびセッテイング幅を有するからである。
【０００９】
緩やかに回転する砥石を使用することにより追加の利点が生じ、それは砥石上の異なる点がランド１２上で異なる方向に動き、これらの全てがランドにエッジ１４から入る速度成分を持ち、これが長手方向研磨または固定砥石に比べてより抵抗の少ないより円滑なランドを作り、かつ特に交差研磨に比べて刃の改良された耐久性を保証し、その理由は交差スクラッチが疲労チッピングを起こし得るからである。
【００１０】
砥石の材料は歯の材料に関連して選択され、かつ好ましくは弾性バインダー付きの微細ダイヤモンドまたはボロンカーバイドである。もし回転軸１５が砥石直径の半分を超えない距離だけオフセットしており、もし所望されるのであれば僅かな制動と組み合わせることにより、砥石の緩やかな回転は自動的に生ずる。また鋸ブレードの送り速度に適合させて砥石を強制回転させることも可能である。
【００１１】
別タイプの砥石としては大きい直径の１個またはそれより多いシリンダーであって、それらの回転軸が刃面１３に対して並行であるがブレードの長手方向から充分小さい角度だけ偏向していて、各歯および砥石の間の充分長い接触時間を保証するように構成されているものであってもよい。
【図面の簡単な説明】
【図１】図１は歯切り、研磨または炭化物切刃のろう付けにより歯の輪郭を形成した後の帯鋸ブレード製造中の一工程を示しており、ただし歯を所定位置にセットする前であり、かつ輪を形成するために帯の両端部を接合する前の状態である。
【図２】図２はセッテイング後における帯の断面を示している。
【符号の説明】
１０　　　　　　歯付ブレード
１１　　　　　　砥石
１２　　　　　　無スクラッチランド（平坦ランド）
１４　　　　　　切刃
【国際公開パンフレット】
2004513794.tif 000003
2004513794.tif 000004
2004513794.tif 000005
2004513794.tif 000006
2004513794.tif 000007
2004513794.tif 000008
2004513794.tif 000009
【手続補正書】
【提出日】平成14年12月27日(2002.12.27)
【手続補正１】
【補正対象書類名】明細書
【補正対象項目名】特許請求の範囲
【補正方法】変更
【補正の内容】
【特許請求の範囲】
【請求項１】
金属の鋸引き用で歯付きの帯鋸ブレードであって、各歯が１個のエッジで合わさるチップ側および間隙側を備えたものにおいて、各歯が間隙側上に歯の長さおよび厚さに比べて間隙角なしの狭い平坦ランド（１２）を備え、上記ランドがその先端縁に鋭利な切刃（１４）を備え、上記ランドの幅が歯間のピッチ間隔の１０％を越えないことを特徴とする、帯鋸ブレード。
【請求項２】
上記ランドが無スクラッチでありかつ歯の他の面よりも少ない面不等を有することを特徴とする、請求項１による帯鋸ブレード。
【請求項３】
歯付帯鋸ブレードの製造方法であって、鋸ブレード（１０）が可能なセッテイングおよび輪状に接合する前に長手方向に動かされて歯が１個またはそれより多い緩やかに回転している砥石（１１）に接触し、これにより各歯に間隙側上の間隙角なしの平坦ランド（１２）を設け、上記ランドの先端縁が鋭利な切刃（１４）となるようにすることを特徴とする、帯鋸ブレードの製造方法。
【国際調査報告】
2004513794.tif 000010
2004513794.tif 000011
2004513794.tif 000012